(57)【要約】【課題】離型材を容易迅速に剥がすことができる包装袋を提供し、また、多数の離型材を一括して処分することができる包装袋群を提供する【解決手段】上方に開口部４を有する袋状の合成樹脂製の袋本体５と、袋本体５の開口部４から上方へ延出された封緘片６と、を備え、封緘片６を開口部４を閉じる方向に折り曲げて封緘片６を袋本体５に固定するための粘着剤層７を封緘片６に備え、粘着剤層７を覆うための離型材８を備え、離型材８は、粘着剤層７を覆う覆い部８Ａと、覆い部８Ａの下端で折り返されて上方へ延出される引っ張り部８Ｂと、を備え、引っ張り部８Ｂの上下方向における寸法を覆い部８Ａの上下方向における寸法よりも長く設定し、かつ、引っ張り部８Ｂの上端部が封緘片６の上端から上方へ食み出している。【選択図】  図１
0003205873.tif 000002
【実用新案登録請求の範囲】
【請求項１】
上方に開口部を有する袋状の合成樹脂製の袋本体と、該袋本体の開口部から上方へ延出された合成樹脂製の封緘片と、を備え、
前記封緘片を前記開口部を閉じる方向に折り曲げて該封緘片を前記袋本体に固定するための粘着剤層を該封緘片に備え、前記粘着剤層を覆うための合成樹脂製の離型材を備えている包装袋であって、
前記離型材は、前記粘着剤層を覆う覆い部と、該覆い部の下端で折り返されて上方へ延出される引っ張り部と、を備え、前記引っ張り部の上下方向における寸法を前記覆い部の上下方向における寸法よりも長く設定し、かつ、該引っ張り部の上端部が前記封緘片の上端から上方へ食み出していることを特徴とする包装袋。
【請求項２】
前記覆い部の上下方向における寸法を前記粘着剤層の上下方向における寸法よりも長く設定していることを特徴とする請求項１に記載の包装袋。
【請求項３】
請求項１に記載の包装袋の複数を重ね合わせた状態で、該複数の包装袋の離型材の引っ張り部の延出端部同士が熱溶着された連結部を備えた包装袋群。
【考案の詳細な説明】
【技術分野】
【０００１】
本考案は、上方に開口部を有する袋状の合成樹脂製の袋本体と、該袋本体の開口部から上方へ延出された合成樹脂製の封緘片と、を備えた包装袋及び包装袋群に関する。
【背景技術】
【０００２】
かかる包装袋は、袋状の合成樹脂製の袋本体と、袋本体の開口部から上方に延びる合成樹脂製の封緘片と、封緘片にそれの幅方向略全域に亘るように配置された粘着剤層と、粘着剤層の幅方向全域を覆うことができる離型材と、を備えている。このような包装袋に、商品を収容して包装する場合には、まず、商品を開口部を通して袋本体の内部に収容する。この収容後に、離型材を剥がしてから、封緘片を開口部を閉じる方向へ折り曲げる。折り曲げた封緘片の粘着剤層を袋本体に押し付けることで、袋本体に封緘片を粘着して袋本体を閉じることができる（例えば、特許文献１参照）。
【先行技術文献】
【特許文献】
【０００３】
【特許文献１】実用新案登録第３０２４４５４号公報
【考案の概要】
【考案が解決しようとする課題】
【０００４】
上記構成の包装袋の粘着剤を覆う離型材は、粘着剤を覆うことができるように粘着剤よりも僅かに大きな寸法に構成されているため、商品を袋本体に収容して離型材を剥がす際に、離型材の端を指で掴み難い。しかも、離型材の端を指で掴んだ後に、幅方向（横方向）に長い寸法の離型材を幅方向（横方向）に引っ張りながら剥がす作業が手間のかかる煩わしい作業になり、改善の余地があった。
【０００５】
そこで、本考案は、かかる事情に鑑みてなされたもので、離型材を容易迅速に剥がすことができる包装袋を提供し、また、多数の離型材を一括して処分することができる包装袋群を提供することを課題とする。
【課題を解決するための手段】
【０００６】
本考案に係る包装袋は、上方に開口部を有する袋状の合成樹脂製の袋本体と、該袋本体の開口部から上方へ延出された合成樹脂製の封緘片と、を備え、前記封緘片を前記開口部を閉じる方向に折り曲げて該封緘片を前記袋本体に固定するための粘着剤層を該封緘片に備え、前記粘着剤層を覆うための合成樹脂製の離型材を備えている包装袋であって、前記離型材は、前記粘着剤層を覆う覆い部と、該覆い部の下端で折り返されて上方へ延出される引っ張り部と、を備え、前記引っ張り部の上下方向における寸法を前記覆い部の上下方向における寸法よりも長く設定し、かつ、該引っ張り部の上端部が前記封緘片の上端から上方へ食み出していることを特徴としている。
【０００７】
上記包装袋は、袋本体内に開口部を通して商品を収容して離型材を剥がしてから、封緘片を開口部を閉じる方向に折り曲げることで、封緘片の粘着剤層を袋本体に押し付けて、袋本体に封緘片を粘着して袋本体を閉じることができる。そして、前記離型材を剥がす際には、引っ張り部の上端部が封緘片の上端から上方へ食み出しているので、引っ張り部の上端部のみを指で掴んで直ちに上方へ引っ張ることができる。引っ張り部を上方へ引っ張ると、引っ張り力が覆い部を粘着剤層の表面と直交する方向に変換される。これにより、覆い部を粘着剤層から起き上がらせることで、覆い部を容易に剥がすことができる。一般的に、離型材の覆い部の上下方向の寸法が左右幅方向の寸法に比べて非常に短いため、短辺方向となる上方へ引っ張り部を引っ張って覆い部を剥がすことによって、剥がすために要する時間も短くできる。
【０００８】
また、本考案に係る包装袋は、前記覆い部の上下方向における寸法を前記粘着剤層の上下方向における寸法よりも長く設定していてもよい。
【０００９】
上記のように、覆い部を粘着剤層に粘着する際に多少位置ずれしても、覆い部を粘着剤層に確実に粘着することができる。
【００１０】
また、請求項１に記載の包装袋の複数を重ね合わせた状態で、該複数の包装袋の離型材の引っ張り部の延出端部同士が熱溶着された連結部を備えた包装袋群であってもよい。
【００１１】
上記のように、引っ張り部の延出端部同士が熱溶着された連結部を備えた包装袋群であれば、複数の包装袋の袋本体を順次引っ張って離型材を剥がしても、離型材が散らばることがなく、複数の離型材が連結部で連結された状態を維持することができる。よって、包装袋から剥がされて不要となった複数の離型材を一括して廃棄処分することができる。
【考案の効果】
【００１２】
以上の如く、本考案によれば、封緘片の上端から上方へ食み出している引っ張り部を備えているので、離型材を容易迅速に剥がすことができる包装袋を提供し、また、多数の離型材を一括して処分することができる包装袋群を提供することができる。
【図面の簡単な説明】
【００１３】
【図１】本考案に係る包装袋を示し、封緘片を閉じていない状態の包装袋の正面図である。
【図２】同包装袋を示し、離型材を外した状態を示す包装袋の正面図である。
【図３】包装袋の開口部を閉じるまでの工程を示し、（ａ）は離型材を剥がす前の状態を示す縦断側面図、（ｂ）は離型材を剥がした状態を示す縦断側面図、（ｃ）は封緘片を折り曲げて粘着剤層により開口部を閉じた状態を示す縦断側面図である。
【図４】離型材を剥がす工程を示し、（ａ）は離型材を剥がす前の状態を示す要部の縦断側面図、（ｂ）は離型材を剥がし始めた状態を示し、（ｃ）は離型材を半分以上剥がした状態を示している。
【図５】多数の包装袋を重ね合わせて熱溶着により一体化した包装袋群の平面図である。
【図６】（ａ）は図５における縦断側面、（ｂ）は図６（ａ）の包装袋の離型材を剥がした後の離型材の縦断側面図である。
【考案を実施するための形態】
【００１４】
以下、本考案の包装袋の一実施形態について、図面に基づいて説明する。包装袋は、各種の合成樹脂フィルムから構成されている。
【００１５】
図１及び図２に示すように、包装袋１は、縦長の長方形状に構成され、表裏のフィルム２，３の上方に開口部４を有する袋状の合成樹脂製の袋本体５と、袋本体５の開口部４の縁から上方へ延出された封緘片６と、を備えている。そして、開口部４を通して袋本体５の内部へ商品を収容し、封緘片６で開口部４を閉じる。
【００１６】
包装袋１を構成する合成樹脂としては、ポリプロピレン系樹脂、ポリエチレン系樹脂等の各種の熱可塑性の透明又は光透過性の高い半透明な合成樹脂を用いることができる。
【００１７】
封緘片６は、裏側のフィルム３の上端から上方に延出され、横長の長方形状に構成されている。また、封緘片６の上端部の内面（表側のフィルム２側の面）には、封緘片６を開口部４を閉じる方向に折り曲げて封緘片６を表側のフィルム２の上端部の外面（裏側のフィルム３とは反対側の面）に固定するための粘着剤層７を備えている。この粘着剤層７は、ホットメルト粘着剤やコールドメルト粘着剤で構成され、所定の幅（図１では上下方向の大きさを幅としている）を有し、かつ、封緘片６の左右幅方向全域に亘って形成されている。従って、封緘片６の左右幅方向に長尺な粘着剤層７を形成している。また、粘着剤層７を覆うための離型材８を備えている。
【００１８】
離型材８は、包装袋１を構成する合成樹脂フィルムと同一のフィルムで構成されている。また、離型材８は、粘着剤層７を覆う覆い部８Ａと、覆い部８Ａの下端で折り返されて上方へ延出される引っ張り部８Ｂと、を備えている。前記引っ張り部８Ｂの上下方向における寸法を、覆い部８Ａの上下方向における寸法よりも長く設定し、かつ、引っ張り部８Ｂの上端部が、封緘片６の上端から上方へ食み出している。具体的には、引っ張り部８Ｂの上下方向における寸法が、覆い部８Ａの上下方向における寸法の２倍の寸法になっているが、どのような寸法に設定してもよい。
【００１９】
前記のように構成された包装袋１は、図３（ａ）の状態から、袋本体５内に開口部４を通して商品（図示せず）を収容する。次に、離型材８を剥がしてから（図３（ｂ）参照）、封緘片６を開口部４を閉じる方向に折り曲げることで、封緘片６の粘着剤層７を袋本体に押し付けて、袋本体５の表側のフィルム２の外面に封緘片６を粘着して袋本体５の開口部４を閉じることができる（図３（ｃ）参照）。そして、離型材８を剥がす際には、図４（ａ）に示すように、引っ張り部８Ｂの上端部が封緘片６の上端から上方へ食み出しているので、引っ張り部８Ｂの上端部のみを指で掴んで直ちに上方へ引っ張ることができる。図４（ｂ）に示すように、引っ張り部８を上方へ引っ張ると、引っ張り力が覆い部８Ａを粘着剤層７の表面と直交する方向に変換される。これにより、図４（ｃ）に示すように、覆い部８Ａを粘着剤層７から起き上がらせることで、覆い部８Ａを容易に剥がすことができる。一般的に、離型材８の覆い部８Ａの上下方向の寸法が左右幅方向の寸法に比べて非常に短いため、短辺方向となる上方へ引っ張り部８Ｂを引っ張って覆い部８Ａを剥がすことによって、剥がすために要する時間も短くできる。
【００２０】
また、覆い部８Ａの左右両端とこれに対応する引っ張り部８Ｂの左右両端とが熱溶着されている。このように覆い部８Ａと引っ張り部８Ｂとが左右両端で一体化されていれば、粘着剤層７に覆い部８Ａを接着する際に、覆い部８Ａと引っ張り部８Ｂとが一体的に移動するので、覆い部８Ａを粘着剤層７に迅速に位置決めすることができる。
【００２１】
また、前記覆い部８Ａの上下方向における寸法を粘着剤層７の上下方向における寸法よりも長く設定している。これによって、覆い部８Ａを粘着剤層７に粘着する際に多少位置ずれしても、覆い部８Ａを粘着剤層７に確実に粘着することができる。
【００２２】
また、図５及び図６（ａ）に示すように、前記構成の包装袋１の複数（図６（ａ）では４枚）を重ね合わせた状態で、４枚の包装袋１の離型材８の引っ張り部８Ｂの延出端部同士が熱溶着された連結部８ｂを備えた包装袋群を構成してもよい。連結部８ｂは、引っ張り部８Ｂの左右方向に所定間隔を置いて５箇所に備えているが、１箇所又は５箇所以外の複数箇所に備えてもよい。また、連結部８ｂの断面形状が円形になっているが、左右に長い長方形であってもよい。このように、４枚の引っ張り部８Ｂの延出端部同士が熱溶着された連結部８ｂで連結されているので、複数の袋本体５を順次引っ張って離型材８を剥がしても、離型材８が散らばることがなく、４枚の離型材８が連結部８ｂで連結された状態を維持することができる（図６（ｂ）参照）。よって、袋本体５から剥がされて不要となった４枚の離型材８を一括して廃棄処分することができる。
【００２３】
尚、本考案は、前記実施形態に限定されるものではなく、本考案の要旨を逸脱しない範囲で種々の変更が可能である。
【００２４】
前記実施形態では、縦長の包装袋１を示したが、横長の包装袋であってもよいし、正方形状の包装袋であってもよく、袋の形状は、これら以外の形状に自由に変更することができる。
【００２５】
また、前記実施形態では、離型材８の左右寸法を封緘片６の左右寸法と同一寸法にしたが、封緘片６の左右寸法よりも大きくする、あるいは小さくしてもよい。
【００２６】
また、前記実施形態では、封緘片６を裏側のフィルム３の上端から上方へ延出したが、表側のフィルム２の上端から上方へ延出してもよい。
【００２７】
また、前記実施形態では、袋本体５を表裏のフィルム２，３のみで構成したが、表裏のフィルム２，３の左右方向両側縁に折り畳み可能なマチを備えたガゼットタイプの袋本体に構成してもよい。
【符号の説明】
【００２８】
１…包装袋、２…表側のフィルム、３…裏側のフィルム、４…開口部、５…袋本体、６…封緘片、７…粘着剤層、８…離型材、８Ａ…覆い部、８Ｂ…引っ張り部、８ｂ…連結部
【図１】
0003205873.tif 000003
【図２】
0003205873.tif 000004
【図３】
0003205873.tif 000005
【図４】
0003205873.tif 000006
【図５】
0003205873.tif 000007
【図６】
0003205873.tif 000008